(57)【要約】      （修正有）【課題】紐が緩む又は解けるのを、容易で確実に防いで、安心して安全に徒歩又はジョギングが出来る靴紐解け防止具を提供する。【解決手段】上下開閉自在可動の連結部５で繋がった、下盤部３と上盤部４を備えた防止具本体２であり、下盤部３は、左右のサイドに靴紐を通し入れる孔部３ａを備え、各左右の孔部３ａの間に、靴紐の結び目を載置する下圧部３ｂを設け、孔部３ａと下圧部３ｂの手前側に並列状で、出入り口が上方を向いて立つ止箱部３ｃを設ける。先部位に把手部４ａを備えた上盤部４は、左右の先端が上盤部４の縁に沿って連結部５へ向かって延伸する壁部４ｃを備えており、壁部４ｃの左右に、靴紐の結び余り紐を出す潜部４ｄを設けている。更に、上盤部４は、下盤部３に重ねて閉じた際に、止箱部３ｃに挿入して、一定以上の力を加えない限り離れて自力では開かないようにする立体状の止歯部４ｅを設けて一体形成したことを特徴とする靴紐解け防止具１。【選択図】図１
2020163088.tif 000002
【特許請求の範囲】
【請求項１】
上下開閉自在可動の連結部で繋がった、下盤部と上盤部から成る防止具本体であり、
該下盤部は、左右のサイドに靴紐を通す孔部を備え、該各左右の孔部の間の適宣位置に、靴紐の結び目を載置する下圧部を設け、該各左右の孔部と該下圧部の手前側に並列状で、出入り口が上方を向いて立つ止箱部を設けている。
先部位に把手部を備えた該上盤部は、該把手部に弧状に沿って突き出した形状構成の、左右の先端が、それぞれ該上盤部の縁に沿って該連結部へ向かって延伸する壁部を備えており、該壁部の左右の適宣位置に、靴紐の結び余り紐を出す潜部を設けている。
更に、該上盤部は、該下盤部に重ねて閉じた際に、該止箱部に挿入して、一定以上の力を加えない限り離れて自力では開かないようにする立体状の止歯部を設けて一体形成したことを特徴とする靴紐解け防止具。
【請求項２】
該上盤部を該下盤部に重ねて閉じた際に、該止甲部の裏側面と、表側面が密着して互いに反発して押し合う構成の、該止甲部の形状構成と同じ弧状で立つ姿勢の止乙部を設けたことを特徴とする請求項１に記載の靴紐解け防止具。
【請求項３】
該下盤部、及び該上盤部のそれぞれの表面に、凸部を複数設けたことを特徴とする請求項１、又は請求項２に記載の靴紐解け防止具。
【発明の詳細な説明】
【技術分野】
【０００１】  本発明は、紐締め靴を履いて、徒歩またはジョギングなどをしている際に、紐が緩む又は解けるのを防ぐ靴紐解け防止具に関するものである。
【背景技術】
【０００２】  従来、紐締め靴を履いて、徒歩またはジョギングなどをしている際に、紐が緩む又は解けた際は、弛んだ紐を締め直す、又は解けた紐を結び直すなどしていた。
尚、紐締め式靴は移動中に靴紐の結び目が緩んでほどけてしまう事、更に結び目余り部分が自由に振れて周囲の物に引っ掛かる事、等の欠点があった。以上のような問題点をなくすための靴紐結束具及び、靴紐結束具を用いた靴が知られている（特許文献１参照）。
【先行技術文献】
【特許文献】
【０００３】
【特許文献１】特開２０１７−１０４４６９号広報
【発明の概要】
【発明が解決しようとする課題】
【０００４】  紐締め靴を履いて、徒歩又はジョギングなどをしている際に、紐が緩む又は解けるのを、容易で確実に防ぐことは不可能だった。
また、靴紐結束具（特許文献１）は、構造上、結び目が緩む又は解けるのを、確実に防ぐことは不可能であり、ファッション的な問題も生じる。
本発明は、以上の問題点を解決する為になされたものである。
【課題を解決するための手段】
【０００５】  上下開閉自在可動の連結部で繋がった、下盤部と上盤部からなる防止具本体であり、
該下盤部は、左右のサイドに靴紐を通し入れる孔部を備え、該各左右の孔部の間の適宣位置に、靴紐の結び目を載置する下圧部を設け、該各左右の孔部と該下圧部の手前側に並列状で、出入り口が上方を向いて立つ止箱部を設けている。
先部位に把手部を備えた該上盤部は、該把手部に弧状に沿って突き出した形状構成の、左右の先端が、それぞれ該上盤部の縁に沿って該連結部へ向かって延伸する壁部を備えており、該壁部の左右の適宣位置に、靴紐の結び余り紐を出す潜部を設けている。
更に、該上盤部は、該下盤部に重ねて閉じた際に、該止箱部に挿入して、一定以上の力を加えない限り離れて自力では開かないようにする立体状の止歯部を設けて一体形成する。
以上の構成より成る靴紐解け防止具。
【発明の効果】
【０００６】  紐締め靴を履いて、徒歩又はジョギングなどをしている際に、紐が緩む又は解けるのを、容易で確実に防ぐことを、本発明により可能にし、徒歩又はジョギングなどを安心して安全に行うことが出来る。
【図面の簡単な説明】
【０００７】
【図１】本発明の斜視図
【図２】本発明の使用状態を示す斜視図
【図３】本発明の使用状態を示す斜視図
【図４】本発明の使用状態を示す斜視図
【発明を実施するための形態】
【０００８】  以下、本発明の実施の形態を説明する。
（イ）靴紐解け防止具（１）は、上下開閉自在可動の連結部（５）で繋がった下盤部（３      ）と上盤部（４）から成る防止具本体（２）に、下記の各部を備える又は設けて一      体形成したものである。
（ロ）該下盤部（３）は、左右サイドの適宣位置に靴紐（Ｈ）を下側から通し入れる孔部      （３ａ）をそれぞれ備え、左右の該各孔部（３ａ）の間の適宣位置に、左右の該各      孔部（３ａ）より通し入れた靴紐（Ｈ）を結んで出来る結び目（Ｍ）を載置する下      圧部（３ｂ）を設けている。
（ハ）該下盤部（３）は、左右の該各孔部（３ａ）と該下圧部（３ｂ）の手前側（該連結      部５と逆側）の適宣位置に、左右の該各孔部（３ａ）と該下圧部（３ｂ）に対して      並列状で、出入り口が上方を向いた収納空間を備えた止箱部（３ｃ）を設けている      。
（ニ）該上盤部（４）は、先部位（該連結部５と逆側）に手指で摘まみ持つ把手部（４ａ      ）を備え、該把手部（４ａ）に沿って弧状で立体形状構成の止甲部（４ｂ）を備え      た壁部（４ｃ）を設けている。
（ホ）該壁部（４ｂ）は、該止甲部（４ｂ）の弧状左右の終点位置から該連結部（５）へ      向かって該上盤部（４）の縁に沿って延伸する左右の途中部位に、靴紐（Ｈ）の結      び余り紐を外へ出す湾曲状の出口である潜部（４ｄ）を設けている。
（ヘ）更に、該上盤部（４）は、該下盤部（３）に重ねて閉じた際に、該止箱部（３ｃ）      に挿入して、一定以上の力で持ちあげなければ離れて開かないようにする立体状の      止歯部（４ｃ）を、適宣位置に設け、左右の該各潜部（４ｄ）の間で、該上盤部（      ４）を該下盤部（３）に重ねて閉じた際に、該下圧部（３ｂ）の真上の位置で、該      下圧部（３ｂ）に載置した靴紐（Ｈ）の結び目（Ｍ）を、上側から押し圧を加えて      圧迫する適宣位置に上圧部（４ｅ）を設けている。
（ト）該止箱部（３ｃ）の内側の壁は、緩やかな反り構造であり、収納した該止歯部（４      ｃ）の反発力を使って、該止歯部（４ｃ）を該止箱部（３ｃ）の内部に止め置く。
（チ）該上盤部（４）を該下盤部（３）に重ねて閉じた際に、該止甲部（４ｂ）の裏側面      と、表側面が密着して互いに反発して押し合う構成で、該止甲部（４ｂ）と同一弧      状で立つ緩やかに反り返った姿勢の止乙部（３ｂ）を、該下盤部（３）の該止箱部      （３ｃ）の手前側位置に並列状で設けている。
（リ）該下圧部（３ｂ）及び該上圧部（４）の、靴紐（Ｈ）の結び目（Ｍ）に当接する表      面部位に、それぞれ複数の凸部（３ｅ）を設けている。
本発明は以上のような構造である。
本発明を使用する時は、
まず、履く紐締め靴（Ｋ）の靴紐（Ｈ）を解いた状態にする。
その解いた靴紐（Ｈ）を、
靴紐解け防止具（１）の上盤部（４）を、把手部（４ａ）を指先で摘まむようにして持ちあげて下盤部（３）より離して開いた状態にして、下盤部（３）の下側から左右の孔部（３ａ）に順に通し入れる。
靴紐解け防止具（１）を、紐締め靴（Ｋ）の甲当て（Ａ）上に載置し、通し入れた靴紐（Ｈ）を、下圧部（３ｂ）に載置するようにして、従来の要領で望みの強さに結び、結び目（Ｍ）を下圧部（３ｂ）表面の中央部位に載置する。
この時、左右の結び余り紐は均等にして、バランス良く束ねて横一線状にする。
上盤部（４）の把手部（４ａ）を指先で摘まむようにして持ち、下側へ力を加えて、下盤部（３）に重ねて靴紐解け防止具（１）を閉じた状態にして、装着は完了である。
徒歩又はジョギング中に、靴紐（Ｋ）の結び目（Ｍ）及び近辺が、下圧部（３ｂ）と上圧部（４ｄ）に挟まれて上下より強烈な押し圧を受け、加えて上下複数の凸部（３ｅ）の働きで、微動だにせず、結び目（Ｍ）が緩んで解けることはないので、男女の大人は勿論、高齢者や子供が手軽に安心して安全に、徒歩及びジョギングが出来る。
また、潜部（４ｅ）より出て垂れる結び余り靴紐（Ｈ）は、バランスが保てるのでファッション的にも良く、上盤部（４）の外側表面に、色彩又は絵文字、若しくは特徴のあるラベルなどを貼り付けて、手軽に同種類の他人の紐靴（Ｋ）との区別をすることが出来る。
靴紐解け防止具（１）は、既存の紐締め靴（Ｋ）に装着して使用するが、製造時に紐締め靴（Ｋ）の甲当て（Ａ）に装備することが可能である。
【符号の説明】
【０００９】１靴紐解け防止具、２防止具本体、３下盤部、４上盤部、５連結部、３ａ孔部、３ｂ下圧部、３ｃ止箱部、３ｄ止乙部、３ｅ凸部、４ａ把手部、４ｂ止甲部、４ｃ壁部、４ｄ潜部、４ｅ止歯部、４ｆ上圧部、Ｋ紐締め靴、Ｈ靴紐、Ｍ結び目、Ａ甲当て
【図１】
2020163088.tif 000003
【図２】
2020163088.tif 000004
【図３】
2020163088.tif 000005
【図４】
2020163088.tif 000006